(57)【特許請求の範囲】
【請求項１】
間仕切り壁体を着脱可能な状態で建物に固定する壁体仮固定具において、
仮固定具本体と、
該仮固定具本体を前記間仕切り壁体に着脱可能な状態で接続する壁側接続部と、
前記仮固定具本体に支持されると共に建物側に付勢力を与えるように構成された付勢手段と、
を備え、
該付勢手段は、気体を充填することにより膨張可能に構成された袋体を有し、
該袋体の内部には、該袋体の、付勢方向以外の方向への膨張を抑制する、紐状部材が配置されており、
該付勢手段が発生させた付勢力により前記間仕切り壁体を前記建物に固定するように構成された、
ことを特徴とする壁体仮固定具。
【請求項２】
前記付勢手段は、建物側に付勢力を与えるスプリング部材を有する、
ことを特徴とする請求項１に記載の壁体仮固定具。
【請求項３】
前記付勢手段は、前記袋体を介して建物側に付勢力を与えるスプリング部材を有する、
ことを特徴とする請求項１に記載の壁体仮固定具。
【請求項４】
前記スプリング部材は、前記仮固定具本体と前記建物との間に圧縮された状態で配置されたコイルスプリングである、
ことを特徴とする請求項２又は３に記載の壁体仮固定具。
【請求項５】
間仕切り壁体と、
請求項１乃至４のいずれか１項に記載の壁体仮固定具と、
を備え、
前記間仕切り壁体が着脱可能な状態で建物に固定できるように構成された、
ことを特徴とする着脱式壁体装置。
【請求項６】
固着具本体と、該固着具本体を前記間仕切り壁体に連結する本体連結部と、前記固着具本体に支持されると共に前記建物に埋設される固定用ボルトと、からなる壁体固着具、
を備えたことを特徴とする請求項５に記載の着脱式壁体装置。
【発明の詳細な説明】
【技術分野】
【０００１】
本発明は、間仕切り壁体を着脱可能な状態で建物に仮固定する壁体仮固定具、及び着脱式壁体装置に関する。
【背景技術】
【０００２】
従来、オリンピックなどのイベントが開催される際には選手や関係者が宿泊するための宿泊施設が新たに建設される場合があるが、そのような宿泊施設は、イベント終了後には住宅として分譲又は賃貸される場合がある。
【０００３】
しかしながら、宿泊施設に必要な間取りと住宅に必要な間取りとは異なることから、宿泊施設の間仕切り壁体には着脱可能に構成されたものが使用されて間取りを変更できるようになっている（例えば、特許文献１参照）。
【０００４】
図６（ａ）は、着脱可能に構成された間仕切り壁体（着脱式壁体装置）の従来構造の一例を示す断面図であり、同図（ｂ）は、その要部を示す断面図である。これらの図において、符号１００は、建物の天井側に配置される部材を示し、符号１０１は、該建物の床側に配置される部材を示し、符号１０２は、大きな部屋を複数の部屋に仕切るための間仕切り壁体を示し、符号１０３は、締め付けボルトを示している。そして、該間仕切り壁体１０２は該締め付けボルト１０３によって仮固定されるように構成されていた。
【先行技術文献】
【特許文献】
【０００５】
【特許文献１】特開平９−１３５５５号公報
【発明の概要】
【発明が解決しようとする課題】
【０００６】
しかしながら、上述の構成の間仕切り壁体１０２は前記締め付けボルト１０３によって固定するようになっているため、建物の側に該ボルト１０３の跡が傷として残り易いという問題があった。反面、そのような締め付けボルト１０３による固定だけでは本設用の間仕切り壁体としては信頼性に欠ける部分も残るので、住宅にリフォームする際には、上述した仮設用の間仕切り用壁体１０２を撤去して本設用の間仕切り用壁体を設置することが行われていた。そのため、仮設用の間仕切り用壁体１０２の撤去や本設用の間仕切り用壁体の搬入・設置等に多大な労力やコストが掛かってしまうという問題があった。
【０００７】
本発明は、上述の問題を解消することのできる壁体仮固定具及び着脱式壁体装置を提供することを目的とするものである。
【課題を解決するための手段】
【０００８】
請求項１に係る発明は、図１（ａ）（ｂ）、図３及び図４（ａ）に例示するものであって、間仕切り壁体（２）を着脱可能な状態で建物（Ａ）に固定する壁体仮固定具（Ｂ１，Ｂ２，Ｂ３）において、
仮固定具本体（Ｂ１０，Ｂ２０，Ｂ３０）と、
該仮固定具本体（Ｂ１０，Ｂ２０，Ｂ３０）を前記間仕切り壁体（２）に着脱可能な状態で接続する壁側接続部（Ｂ１１，Ｂ２１，Ｂ３１）と、
前記仮固定具本体（Ｂ１０，Ｂ２０，Ｂ３０）に支持されると共に建物側に付勢力（Ｆ）を与えるように構成された付勢手段（Ｂ１２，Ｂ２２，Ｂ３２）と、
を備え、
該付勢手段（Ｂ１２，Ｂ２２，Ｂ３２）は、気体を充填することにより膨張可能に構成された袋体（Ｂ１２０，Ｂ３２０）を有し、
該袋体の内部には、該袋体の、付勢方向以外の方向への膨張を抑制する、紐状部材が配置されており、
該付勢手段（Ｂ１２，Ｂ２２，Ｂ３２）が発生させた付勢力（Ｆ）により前記間仕切り壁体（２）を前記建物（Ａ）に固定するように構成されたことを特徴とする。
【００１０】
請求項２に係る発明は、請求項１に係る発明において、前記付勢手段（Ｂ２２）が、建物側に付勢力（Ｆ）を与えるスプリング部材（Ｂ２２１）を有することを特徴とする。
【００１１】
請求項３に係る発明は、請求項１に記載の発明において、前記付勢手段（Ｂ３２）が、前記袋体（Ｂ３２０）を介して建物側に付勢力（Ｆ）を与えるスプリング部材（Ｂ３２１）を有することを特徴とする。
【００１２】
請求項４に係る発明は、請求項２又は３に記載の発明において、前記スプリング部材（Ｂ２２１，Ｂ３２１）が、前記仮固定具本体（Ｂ２０，Ｂ３０）と前記建物（Ａ）との間に圧縮された状態で配置されたコイルスプリングであることを特徴とする。
【００１３】
請求項５に係る発明は、間仕切り壁体（２）と、請求項１乃至４のいずれか１項に記載の壁体仮固定具（Ｂ１，Ｂ２，Ｂ３）と、
を備え、
前記間仕切り壁体（２）が着脱可能な状態で建物（Ａ）に固定できるように構成されたことを特徴とする着脱式壁体装置（Ｄ１，Ｄ２，Ｄ３）に関する。
【００１４】
請求項６に係る発明は、図５に例示するものであって、請求項５に係る発明において、固着具本体（Ｅ１０）と、該固着具本体（Ｅ１０）を前記間仕切り壁体（２）に連結する本体連結部（Ｅ１１）と、前記固着具本体（Ｅ１０）に支持されると共に前記建物（Ａ）に埋設される固定用ボルト（Ｅ１２）と、からなる壁体固着具（Ｅ１）、を備えたことを特徴とする。
【００１５】
なお、括弧内の番号などは、図面における対応する要素を示す便宜的なものであり、従って、本記述は図面上の記載に限定拘束されるものではない。
【発明の効果】
【００１６】
請求項１，３，５，６及び７に係る発明によれば、前記付勢手段が発生させた付勢力により前記間仕切り壁体を前記建物に固定（仮固定）するように構成されているため、該建物に傷が付くことを低減できる。また、該間仕切り壁体を本設用の内壁として使用する場合には、前記壁体仮固定具を本設用のもの（例えば、前記壁体固着具のように堅固に固定できるもの）に交換すれば足り、該間仕切り壁体自体は撤去したり交換したりする必要は無いので、その分、作業労力や作業コストの軽減を図ることができる。
【００１７】
請求項２に係る発明によれば、前記建物に付勢されるのは柔軟な袋体であるので（つまり、硬いビス等は付勢されないので）、該建物に傷が付くことを防止できる。
【００１８】
請求項４に係る発明によれば、仮に前記袋体から気体が抜けたとしても、前記スプリング部材の付勢力（バネ力）が該袋体を介して前記建物に作用することとなり、前記間仕切り壁体の脱落を防止することができる。
【図面の簡単な説明】
【００１９】
【図１】図１（ａ）は、本発明に係る壁体仮固定具及び着脱式壁体装置の構成の一例を示す断面図であり、同図（ｂ）は、その要部を示す拡大断面図であり、同図（ｃ）はその分解斜視図である。
【図２】図２（ａ）は、本発明に係る着脱式壁体装置の取付状態の一例を示す断面図であり、同図（ｂ）は、本発明に係る着脱式壁体装置の取付状態の他の例を示す断面図である。
【図３】図３は、本発明に係る壁体仮固定具及び着脱式壁体装置の構成の他の例を示す断面図である。
【図４】図４（ａ）は、本発明に係る壁体仮固定具及び着脱式壁体装置の構成の一例を示す断面図であり、同図（ｂ）は、袋体から気体が漏れた状態の一例を示す断面図である。
【図５】図５は、本発明に係る着脱式壁体装置の構成の一例を示す断面図である。
【図６】図６（ａ）は、着脱可能に構成された間仕切り壁体（着脱式壁体装置）の従来構造の一例を示す断面図であり、同図（ｂ）は、その要部を示す断面図である。
【発明を実施するための形態】
【００２０】
以下、図１乃至図５に沿って、本発明の実施の形態について説明する。
【００２１】
本発明に係る壁体仮固定具は、図１（ａ）（ｂ）、図３及び図４に符号Ｂ１，Ｂ２，Ｂ３で例示するものであって、間仕切り壁体２を着脱可能な状態で建物Ａに固定（仮固定）するためのものであり、
・  仮固定具本体Ｂ１０，Ｂ２０，Ｂ３０と、
・  該仮固定具本体Ｂ１０，Ｂ２０，Ｂ３０を前記間仕切り壁体２に着脱可能な状態で接続する壁側接続部Ｂ１１，Ｂ２１，Ｂ３１と、
・  前記仮固定具本体Ｂ１０，Ｂ２０，Ｂ３０に支持されると共に建物側に付勢力Ｆを与えるように構成された付勢手段Ｂ１２，Ｂ２２，Ｂ３２と、
を備えており、該付勢手段Ｂ１２，Ｂ２２，Ｂ３２が発生させた付勢力Ｆにより前記間仕切り壁体２を前記建物Ａに固定（仮固定）するように構成されている。
【００２２】
＜間仕切り壁体＞
ここで、前記間仕切り壁体２としては、紙材や材木や樹脂材や金属等の公知の材料で板状に形成されたものを挙げることができるが、それらの材料で枠状に形成されたもの（例えば、網戸）やその他の形状のもの（例えば、面格子や、複数の部材を組み付けて構成されるような構造体）を本発明の範囲から除外するものではない。なお、この間仕切り壁体２は、エレベータ等で運搬できる程度の寸法にすれば良い。
【００２３】
＜壁体仮固定具の配置位置＞
前記壁体仮固定具Ｂ１，Ｂ２，Ｂ３は、互いに対向するように配置される略平坦な一対の被取付面Ａ１，Ａ２の内の少なくとも一方に当接されるように配置すると良い。また、前記間仕切り壁体２が略矩形状をしている場合には、前記壁体仮固定具Ｂ１，Ｂ２，Ｂ３は、該間仕切り壁体２の上縁２ａ又は下縁２ｂに沿うように配置すると良く、好ましくは、該上縁２ａよりも該下縁２ｂに配置すると良い。その方が、該壁体仮固定具Ｂ１，Ｂ２，Ｂ３の取り付け作業等がやりやすいからである。その場合（つまり、前記壁体仮固定具Ｂ１，Ｂ２，Ｂ３を前記間仕切り壁体２の下縁２ｂに配置する場合）には、図１（ｂ）に示すように、前記付勢手段Ｂ１２等を隠すための部材（断面が略Ｌ字形などの部材）３を配置しておけば良い。なお、このような部材３は、前記間仕切り壁体２にはビス等で固定しても良いが、傷つき防止のために前記被取付面Ａ２には固定しない方が好ましい。また、前記壁体仮固定具Ｂ１，Ｂ２，Ｂ３を前記間仕切り壁体２の上縁２ａに配置する場合には、該壁体仮固定具Ｂ１，Ｂ２，Ｂ３を飾り縁ユニットで隠すようにすると良い。さらに、前記付勢手段Ｂ１２，Ｂ２２，Ｂ３２を配置しない方の縁部２ａと前記被取付面Ａ１との間には柔らかい材料のもの（クッション材）を配置しておいて、該被取付面Ａ１又はＡ２に傷が付かないようにしておくと良い。なお、前記一対の被取付面は互いに対向するように配置されたものであるが、その“互いに対向する”状態とは、
・  図２（ａ）に符号Ａ１，Ａ２で例示するように略平行に配置されている状態だけでなく、
・  図２（ｂ）に符号Ａ１’，Ａ２’で例示するように、所定の角度（水平面内の水平角度や、鉛直面内の鉛直角度）を為すように配置されている状態
も含むものである。また、これらの被取付面Ａ１，Ａ２，…は、平坦（平滑）なものに限らず、多少の凹凸（不陸）や段差やうねり（湾曲面）があっても良く、建物の構造部材の何らかの面（例えば、天井面や床面や壁面や柱面や梁面など）を挙げることができる。
【００２４】
＜壁側接続部＞
一方、前記壁側接続部Ｂ１１，Ｂ２１，Ｂ３１としては、固定用のボルトや、前記仮固定具本体Ｂ１０，Ｂ２０，Ｂ３０を嵌合するような凹部又は凸部や、その他の公知の係合手段を挙げることができる。
【００２５】
本発明によれば、前記付勢手段Ｂ１２，Ｂ２２，Ｂ３２が発生させた付勢力Ｆにより前記間仕切り壁体２を前記建物Ａに固定（仮固定）するように構成されているため、該建物Ａに傷が付くことを低減できる。また、該間仕切り壁体２を本設用の内壁として使用する場合には、前記壁体仮固定具Ｂ１，Ｂ２，Ｂ３を本設用のもの（例えば、後述する壁体固着具Ｅ１のように堅固に固定できるもの）に交換すれば足り、該間仕切り壁体２自体は撤去したり交換したりする必要は無いので、その分、作業労力や作業コストの軽減を図ることができる。
【００２６】
＜袋体＞
一方、前記付勢手段Ｂ１２，Ｂ３２は、気体を充填することにより膨張可能に構成されて建物側に付勢力Ｆを与えるように構成された袋体（膨張管）Ｂ１２０，Ｂ３２０を有するようにすると良い。この場合、前記建物Ａに付勢されるのは柔軟な袋体Ｂ１２０，Ｂ３２０であるので（つまり、硬いビス等は付勢されないので）、該建物Ａに傷が付くことを防止できる。また、前記被取付面Ａ１，Ａ２の表面形状に前記袋体Ｂ１２０，Ｂ３２０を追随させることができるので、完全に平坦ではなく多少の凹凸（例えば、配線により生じた凹凸）や段差や波打ちがある被取付面であっても取り付けることが可能となる。またさらに、ビスを使用する場合と違って付勢力Ｆが分散されるので、前記被取付面Ａ１，Ａ２が凹みやすい構造又は材料であっても前記間仕切り壁体２を取り付けることができる。該袋体は、図１（ｃ）に符号Ｂ１２０で例示するように、前記間仕切り壁体２の縁部に沿って連続的に配置されていることが好ましいが、断続的に分割された状態で配置されている態様を本発明の範囲から除外するものではない。また、前記袋体Ｂ１２０，Ｂ３２０に封入（充填）する気体としては、空気が好ましいが、空気以外の気体を排除するものではない。さらに、該袋体Ｂ１２０，Ｂ３２０は、伸縮可能なゴム膜や樹脂膜で形成されていると良い。またさらに、該袋体Ｂ１２０，Ｂ３２０の内部には図１（ｂ）に符号１２０ａで示すような紐状（芯状）のものを配置しておいて、該袋体Ｂ１２０，Ｂ３２０が付勢方向（ｚ方向と逆の方向）には膨らむが横方向ｙには膨らみ過ぎないようにすると良い。また、そのような紐状（芯状）のものを該袋体Ｂ１２０，Ｂ３２０の内部であって長手方向（ｘ方向）にも配置しておいて、該袋体Ｂ１２０，Ｂ３２０が該長手方向に膨らみ過ぎないようにしても良い。さらに、該袋体Ｂ１２０，Ｂ３２０の膜自体に芯材やメッシュ部材を埋め込んでおいて、ほぼ同様の効果が得られるようにしても良い。またさらに、そのような芯材等の埋め込みやノーパンクタイヤの構造などを利用することによってパンク防止を図るようにすると良い。また、特許第５３９６０２６号公報に記載されているような可撓筒体（膨張リミッター）をこの袋体Ｂ１２０，Ｂ３２０に被せて、該袋体Ｂ１２０，Ｂ３２０が所定以上に膨張しないようにしておくと良い。さらに、摩擦係数が高い材質もの（例えば、ゴム膜）をこの袋体Ｂ１２０，Ｂ３２０に被せて、前記被取付面Ａ１，Ａ２との間に生じる摩擦力を大きくするようにすると良い。またさらに、前記袋体Ｂ１２０，Ｂ３２０への気体（空気）の充填は、手動式又は動力式のポンプやボンベを使って行うようにすると良い。それらのポンプやボンベは前記壁体仮固定具Ｂ１，Ｂ３とは別体で設けておいても良いが、該壁体仮固定具自体Ｂ１，Ｂ３に設けておいても良い。
【００２７】
＜スプリング部材＞
また一方、前記付勢手段Ｂ２２は、図３に符号Ｂ２２１で例示するように、建物側（つまり、ｚ方向とは逆の方向）に付勢力Ｆを与えるスプリング部材を有するようにすると良い。また、該付勢手段Ｂ３２は、図４（ａ）（ｂ）に例示するように、前記袋体Ｂ３２０と前記スプリング部材Ｂ３２１とを備え、該スプリング部材Ｂ３２１は、前記袋体Ｂ３２０を介して建物側に付勢力Ｆを与えるように配置しておくと良い。そのようにした場合には、仮に前記袋体Ｂ３２０から気体（空気）が抜けたとしても、図４（ｂ）に例示するように前記スプリング部材Ｂ３２１の付勢力（バネ力）Ｆが該袋体Ｂ３２０を介して前記被取付面Ａ２に作用することとなり、前記間仕切り壁体２の脱落を防止することができる。ここで、図３及び図４（ａ）（ｂ）に例示するスプリング部材Ｂ２２１，Ｂ３２１は、前記仮固定具本体Ｂ２０，Ｂ３０と前記建物Ａとの間に圧縮された状態で配置されるコイルスプリングであるが、もちろんこれに限られるものではなく、建物側に付勢力Ｆを与えるものであれば、コイルスプリング以外のスプリング（例えば、板バネ）であっても良い。
【００２８】
＜着脱式壁体装置＞
一方、本発明に係る着脱式壁体装置Ｄ１，Ｄ２，Ｄ３は、図１（ａ）（ｂ）、図３及び図４に例示するように、
・  間仕切り壁体２と、
・  上述した構造の壁体仮固定具Ｂ１，Ｂ２，Ｂ３と、
を備えており、前記間仕切り壁体２が着脱可能な状態で建物Ａに固定できるように構成されたことを特徴とする。このような着脱式壁体装置Ｄ１，Ｄ２，Ｄ３によれば、前記付勢手段Ｂ１２，Ｂ２２，Ｂ３２が発生させた付勢力Ｆにより前記間仕切り壁体２を前記建物Ａに固定（仮固定）するように構成されているため、該建物Ａに傷が付くことを低減できる。
【００２９】
また、この着脱式壁体装置Ｄ１は、図５に例示するように、
・  固着具本体Ｅ１０と、
・  該固着具本体Ｅ１０を前記間仕切り壁体２に連結する本体連結部Ｅ１１と、
・  前記固着具本体Ｅ１０に支持されると共に前記建物Ａに埋設される固定用ボルトＥ１２と、
からなる壁体固着具Ｅ１を備えるようにすると良い。そのようにした場合には、前記間仕切り壁体２自体は本設用として十分に使用でき、該壁体２を撤去したり交換したりする必要は無いので、その分、作業労力や作業コストの軽減を図ることができる。
【符号の説明】
【００３０】
２                      間仕切り壁体
Ａ                      建物
Ｂ１                    壁体仮固定具
Ｂ２                    壁体仮固定具
Ｂ３                    壁体仮固定具
Ｂ１０                  仮固定具本体
Ｂ１１                  壁側接続部
Ｂ１２                  付勢手段
Ｂ２０                  仮固定具本体
Ｂ２１                  壁側接続部
Ｂ２２                  付勢手段
Ｂ３０                  仮固定具本体
Ｂ３１                  壁側接続部
Ｂ３２                  付勢手段
Ｂ１２０                袋体
Ｂ２２１                スプリング部材
Ｂ３２１                スプリング部材
Ｂ３２０                袋体
Ｄ１                    着脱式壁体装置
Ｄ２                    着脱式壁体装置
Ｄ３                    着脱式壁体装置
Ｅ１                    壁体固着具
Ｅ１０                  固着具本体
Ｅ１１                  本体連結部
Ｅ１２                  固定用ボルト
【図１】
0006466208.tif 000002
【図２】
0006466208.tif 000003
【図３】
0006466208.tif 000004
【図４】
0006466208.tif 000005
【図５】
0006466208.tif 000006
【図６】
0006466208.tif 000007